(57)【特許請求の範囲】
【請求項１】
被写体を撮影して画像データに変換して出力する撮影手段と、
画像データを記憶する画像データ記憶手段と、
テンキーおよび操作キーを含む複数のキーを備える入力手段と、
各キーのうちの１つが押されたとき、前記撮影手段により被写体を撮影させて画像データを出力させるとともに、画像データを前記画像データ記憶手段に記憶させる制御手段と、
電話帳情報を画像データと対応付けて登録することができる電話帳登録手段とを備え、
入力手段の各キーには、各キー毎に、電話帳情報を入力するための選択肢が割り当てられ、
制御手段は、各キーのうちの１つが押されたとき、前記撮影手段により被写体を撮影させて画像データを出力させ、押されたキーに割り当てられた選択肢と関連付けて画像データを前記画像データ記憶手段に記憶させることを特徴とする画像端末機器。
【請求項２】
被写体を撮影して画像データに変換して出力する撮影手段と、
画像データを記憶する画像データ記憶手段と、
テンキーおよび操作キーを含む複数のキーを備える入力手段と、
各キーのうちの１つが押されたとき、前記撮影手段により被写体を撮影させて画像データを出力させるとともに、画像データを前記画像データ記憶手段に記憶させる制御手段と、
前記画像データ記憶手段に記憶された画像データを電子メールで送信する電子メール送信手段とを備え、
入力手段の各キーには、各キー毎に異なる電子メールアドレスが割り当てられ、
制御手段は、各キーのうちの１つが押されたとき、前記撮影手段により被写体を撮影させて画像データを出力させ、画像データを前記画像データ記憶手段に記憶させ、電子メール送信手段により押されたキーに割り当てられた電子メールアドレスに前記画像データを送信させることを特徴とする画像端末機器。
【請求項３】
電話機能を実行する電話手段を備え、
前記テンキーは、ダイヤル発信に用いるテンキーであることを特徴とする請求項１または２に記載の画像端末機器。
【発明の詳細な説明】
【０００１】
【発明の属する技術分野】
本発明は、携帯電話機、デジタルカメラ、電子手帳、モバイルコンピュータなどの画像撮影機能を備えた端末機器に関するものである。
【０００２】
【従来の技術】
従来技術として、特開２０００−２４４６７３号公報には携帯電話装置が、特開２０００−２５３３７３号公報には携帯通信端末が開示されている。これらの機器は、被写体を撮影して画像データとして出力するカメラが設けられており、そのカメラで撮影した人物の顔などの画像データを、名前、電話番号、性別などのプロフィール情報と関連付けて記憶させる記憶手段を有している。したがって、たとえば前記記憶手段に記憶されている電話番号を用いて発信を行う場合、前記電話番号と関連付けて記憶されている顔などの画像を確認し、正確に相手を認識して発信することができる。
【０００３】
【発明が解決しようとする課題】
上述した従来の装置においては、前記記憶手段に顔などの画像データをプロフィール情報と関連付けて記憶させるためには、まず、カメラで被写体を撮影して画像データを出力した後、電話帳機能などを起動し、何も情報が入っていない状態からプロフィール情報を入力するといった面倒なキー操作をしなければならない。したがって、画像データと関連付けてプロフィール情報を入力するのに手間がかかるという問題点を有している。
【０００４】
また、表示部に表示される画像の周縁部に施される装飾であるフレームを付加したり、セピア調に処理するなどの画像を加工する機能である画像処理機能を搭載した画像端末機器においては、画像を加工する場合、まず、カメラで被写体を撮影して画像データを出力した後、前記画像処理機能を起動し、キー操作して画像データを処理しなければならない。したがって、これらのキー操作に手間がかかるという問題点を有している。
【０００５】
また、フラッシュ時間を設定できる機能を搭載した画像端末機器においては、フラッシュ時間を切り替える場合、撮影する前に前記フラッシュ時間設定機能を起動し、キー操作してフラッシュ時間を切り替えなければならない。したがって、被写体を撮影する度にフラッシュ時間を切り替えるのに手間がかかるという問題点を有している。
【０００６】
また、記憶エリアを分けて画像データを記憶する機能を搭載した画像端末機器においては、希望する記憶エリアに撮影した画像データを記憶させる場合は、被写体を撮影した後、画像データを希望の記憶エリアに記憶させる機能を起動し、キー操作して前記画像データを記憶させておくエリアを指定しなければならない。したがって、これらのキー操作に手間がかかるという問題点を有している。
【０００７】
また、電子メール送信機能を搭載した画像端末機器においては、画像データを電子メールで送信する場合、被写体を撮影して画像データを出力した後、電子メール機能を起動し、キー操作して送信先の電子メールアドレスを入力して電子メールを送信しなければならない。したがって、電子メールアドレスを入力するのに手間がかかるという問題点を有している。
【０００８】
本発明の目的は、撮影や画像データに関連した処理を行う際のキー操作の手間を省くことができ、操作性が高く、時間を有効に活用することのできる画像端末機器を提供することである。
【０００９】
【課題を解決するための手段】
本発明は、被写体を撮影して画像データに変換して出力する撮影手段と、
画像データを記憶する画像データ記憶手段と、
テンキーおよび操作キーを含む複数のキーを備える入力手段と、
各キーのうちの１つが押されたとき、前記撮影手段により被写体を撮影させて画像データを出力させるとともに、画像データを前記画像データ記憶手段に記憶させる制御手段と、
電話帳情報を画像データと対応付けて登録することができる電話帳登録手段とを備え、
入力手段の各キーには、各キー毎に、電話帳情報を入力するための選択肢が割り当てられ、
制御手段は、各キーのうちの１つが押されたとき、前記撮影手段により被写体を撮影させて画像データを出力させ、押されたキーに割り当てられた選択肢と関連付けて画像データを前記画像データ記憶手段に記憶させることを特徴とする画像端末機器である。
【００１０】
また本発明は、被写体を撮影して画像データに変換して出力する撮影手段と、
画像データを記憶する画像データ記憶手段と、
テンキーおよび操作キーを含む複数のキーを備える入力手段と、
各キーのうちの１つが押されたとき、前記撮影手段により被写体を撮影させて画像データを出力させるとともに、画像データを前記画像データ記憶手段に記憶させる制御手段と、
前記画像データ記憶手段に記憶された画像データを電子メールで送信する電子メール送信手段とを備え、
入力手段の各キーには、各キー毎に異なる電子メールアドレスが割り当てられ、
制御手段は、各キーのうちの１つが押されたとき、前記撮影手段により被写体を撮影させて画像データを出力させ、画像データを前記画像データ記憶手段に記憶させ、電子メール送信手段により押されたキーに割り当てられた電子メールアドレスに前記画像データを送信させることを特徴とする画像端末機器である。
【００１６】
本発明に従えば、テンキーおよび操作キーを含む複数のキー毎に画像データに関連する処理機能が割り当てられているので、テンキーおよび操作キーを含む複数のキーのいずれかを押すと、そのテンキーおよび操作キーを含む複数のキーに割り当てられている処理が画像データの取り込みとともに行われる。したがって、前記処理を行うための面倒なキー操作がない。
【００１７】
また本発明は、電話機能を実行する電話手段を備え、
前記テンキーは、ダイヤル発信に用いるテンキーであることを特徴とする。
【００１８】
本発明に従えば、ダイヤル発信のときに使用するダイヤルキーを前記テンキーとして用いるので、たとえば携帯電話機において前記処理を行う場合に、面倒なキー操作がない。
【００１９】
【発明の実施の形態】
図１は、本発明の実施の一形態である画像端末機器１の構成を示すブロック図である。画像端末機器１は、画像を取り込む画像撮影機能、画像と関連付けて電話帳情報を記憶させる電話帳機能、取り込んだ画像データに画像処理を行う画像処理機能、画像を取り込む際にシャッタ音を出力するシャッタ音発生機能、画像を取り込む際にフラッシュを照射するフラッシュ照射機能、文字データや画像データを送信する電子メール送信機能などを有する。
【００２０】
画像端末機器１は、制御部２、画像入力部３、画像一時記憶部４、画像処理部５、シャッタ制御部６、無線制御部７、アンテナ８、フラッシュ部９、シャッタ擬似音発生部１０、スピーカ１１、表示部１２、電話帳データ記憶部１３、画像記憶部１４、電源部１５、タイマ部１６、キー操作部１７、および設定データ記憶部１８を含んで構成されている。
【００２１】
制御部２は、画像端末機器１全体の動作や機能を制御するものであり、画像一時記憶部４、画像処理部５、シャッタ制御部６、無線制御部７、フラッシュ部９、シャッタ擬似音発生部１０、表示部１２、電話帳データ記憶部１３、画像記憶部１４、タイマ部１６、および設定データ記憶部１８を制御する。
【００２２】
キー操作部１７は、名前、電話番号などの電話帳のデータ、アクセスポイントの電話番号などを入力したり、シャッタを操作するために設けられている文字キーおよびテンキー、カメラモード、電話帳モードなどを設定するための各種選択項目を決定するキーなどを有している。また、テンキーの「１」〜「０」のボタンは、シャッタボタンの役割を果たす。また、キー操作部１７により生成される信号は、制御部２に出力され、この信号に基づいて制御部２は各部を制御する。なお、テンキーだけでなく、キー操作部１７にあるキーであれば、いずれをシャッタボタンとしてもよい。
【００２３】
画像入力部３は、シャッタおよび撮像素子を有し、この撮像素子から画像データを取りこむ。シャッタ制御部６は、制御部２の制御に応じて、画像入力部３に組み込まれているシャッタを制御する。
【００２４】
画像処理部５は、制御部２の制御に応じて、画像入力部３が有する撮像素子から取り込まれた画像データに対して、表示サイズを考慮した画像処理およびカラーから白黒への変換処理などの画像処理を行う。画像一時記憶部４は、画像処理部５により処理された画像データを一時的に記憶する。画像記憶部１４は、画像入力部３から取り込まれ、画像処理部５によって処理された画像データが記憶される。この画像記憶部１４は、エリアａ１〜エリアａ１０の１０の記憶エリアに分割されており、制御部２の制御に応じて指定された記憶エリアに画像データが記憶される。
【００２５】
シャッタ擬似音発生部１０は、制御部２の制御に応じて、シャッタ擬似音を発生し、このシャッタ擬似音は、シャッタ擬似音発生部１０に接続されているスピーカ１１を介して出力される。フラッシュ部９は、フラッシュが搭載されており、制御部２の制御に応じて一定の時間、フラッシュ照射を行う。タイマ部１６は、フラッシュ部９によるフラッシュ照射時間切り替え機能や、時計機能を実現するためのもので、時間のデータを制御部２に供給する。制御部２は、タイマ部１６から得たデータから所定の時間が経過したことなどを判断する。
【００２６】
アンテナ８は、無線電波を送受信するもので、無線制御部７と接続される。無線制御部７は、電話機能を実行し、アンテナ８を介して、インターネットプロバイダなどのアクセスポイントに発信し、データ要求などの信号を送信したり、データを含む呼び出し信号を受信してデコードする。
【００２７】
電話帳データ記憶部１３には、名前、電話番号などユーザが登録した電話帳情報、電子メールアドレス、インターネットプロバイダの情報が記憶される。設定データ記憶部１８には、電話帳情報を入力するための選択肢、画像処理、シャッタ擬似音、フラッシュ照射時間、画像記憶部１４の記憶エリア、電子メールアドレスなどが、「１」〜「０」ボタンと対応した状態で記憶される。
【００２８】
表示部１２は、制御部２の制御に応じて、画像入力部３から取り込んだ画像、電話番号、文字などを表示する。電源部１５は、制御部２を介して各部に電源電圧を供給する。
【００２９】
本発明の画像端末機器１は、複数あるシャッタボタンに画像データに関連する処理機能が割り当てられており、前記シャッタボタンのいずれかが押されると、その押されたシャッタボタンに割り当てられた処理を行うことを特徴とする。ここで、画像データに関連する処理とは、画像データを取得する際の処理、画像データに対する処理、および画像データを利用した処理を意味する。
【００３０】
まず図２を参照して、電話帳リンク機能を有する画像端末機器１について説明する。図２は、この画像端末機器１の動作を示すフローチャートである。また、電話帳リンク機能とは、撮影した画像データと電話帳情報を入力するための選択肢とが対応して記憶されており、前記画像データを選択するとその画像データに対応して記憶されている前記選択肢が表示部１２に表示される機能を言う。
【００３１】
この画像端末機器１では、シャッタボタンである「１」〜「０」のボタンにそれぞれ電話帳情報を入力するための選択肢が割り当てられている。この各ボタンの割り当ては、設定データ記憶部１８に記憶されている。また、いずれかのシャッタボタンを押して被写体を撮影することで、そのシャッタボタンに割り当てられている前記選択肢と対応付けて、取り込んだ画像データを記憶させることができる。
【００３２】
表１に示すように、「１」ボタンには、電話帳情報である名前の頭文字の「あ行」が割り当てられている。同様に、「２」ボタンには「か行」が、「３」ボタンには「さ行」が、「４」ボタンには「た行」が、「５」ボタンには「な行」が、「６」ボタンには「は行」が、「７」ボタンには「ま行」が、「８」ボタンには「や行」が、「９」ボタンには「ら行」が、「０」ボタンには「わ行」がそれぞれ割り当てられている。
【００３３】
【表１】
0003866950.tif 000002
【００３４】
ここでは、シャッタボタンとして「１」ボタンが押された場合について説明する。まず、ステップＳ２０１において、キー操作部１７にあるカメラキーが押され、カメラモードが設定されると、制御部２は、画像入力部３の撮像素子から取り込まれた画像データに対し、表示部１２での表示サイズを考慮した画像処理を画像処理部５にさせる。次いで、その画像データを画像一時記憶部４に記憶させ、その画像を表示部１２に表示させて、ステップＳ２０２に進む。この画像は、画像入力部３の向きが変わり被写体が変更されると、それに応じて画像入力部３から取り込まれる画像データが変化するため、動画的に表示される。
【００３５】
ステップＳ２０２において、シャッタボタンである「１」ボタンを押し、シャッタ操作を行う。このシャッタ操作により、特定の被写体が撮影されて画像入力部３から画像データが出力される。この出力された画像データは、制御部２によって画像一時記憶部４に記憶され、ステップＳ２０３に進む。
【００３６】
ステップＳ２０３において、制御部２は、シャッタ擬似音発生部１０においてシャッタ擬似音を発生させ、スピーカ１１からシャッタ擬似音を出力させ、ステップＳ２０４に進む。
【００３７】
ステップＳ２０４において、制御部２は、シャッタボタンとして「１」〜「０」のボタンのいずれが押されたかを判断する。ここでは、「１」ボタンが押された場合を説明しているので、「１」ボタンが押されたと判断され、ステップＳ２０４−１に進む。
【００３８】
次に、ステップＳ２０４−１からステップＳ２０５−１に進み、ステップＳ２０５−１において、制御部２は、ステップＳ２０２で画像一時記憶部４に記憶されていた画像データと、シャッタボタンとして「「１」ボタンが押された」という情報とを画像記憶部１４に記憶させ、ステップＳ２０６に進む。ステップＳ２０６においては、カメラモードとなり、画像入力部３の撮像素子から次々と取り込まれる画像データが動画的に表示部１２に表示される。
【００３９】
ステップＳ２０７において、キー操作部１７にある電話帳キーが押されると、電話帳モードが設定される。次いで、制御部２は、ステップＳ２０５−１で画像記憶部１４に記憶された画像データを読み出し、その画像データを表示部１２に表示される電話帳入力画面３０（図３参照）の画像表示欄３５に表示し、ステップＳ２０８に進む。図３は、電話帳情報を入力する画面である電話帳入力画面３０の表示例である。電話帳入力画面３０は、名前欄３１、名前入力欄３２、電話番号欄３３、電話番号入力欄３４、画像表示欄３５を有する。
【００４０】
ステップＳ２０８において、制御部２は、取り込まれた画像データと対応付けて画像記憶部１４に記憶されている「「１」ボタンが押された」という情報を読み出す。「１」ボタンに対応した選択肢は「あ行」であるので、図３に示すように名前入力欄３２に「あ」を表示させ、名前入力を催促し、ステップＳ２０９に進む。
【００４１】
ここで、ステップＳ２０２において「２」ボタンが押された場合は、ステップＳ２０４で「２」ボタンが押されたと判断され、ステップＳ２０４−２、ステップＳ２０５−２と進み、ステップＳ２０８で名前入力欄３２に「か」が表示される。同様に、「３」ボタンが押された場合は、ステップＳ２０４−３、ステップＳ２０５−３と進み、ステップＳ２０８では「さ」が、「４」ボタンが押された場合は、ステップＳ２０４−４、ステップＳ２０５−４と進み、ステップＳ２０８では「た」が、「５」ボタンが押された場合は、ステップＳ２０４−５、ステップＳ２０５−５と進み、ステップＳ２０８では「な」が、「６」ボタンが押された場合は、ステップＳ２０４−６、ステップＳ２０５−６と進み、ステップＳ２０８では「は」が、「７」ボタンが押された場合は、ステップＳ２０４−７、ステップＳ２０５−７と進み、ステップＳ２０８では「ま」が、「８」ボタンが押された場合は、ステップＳ２０４−８、ステップＳ２０５−８と進み、ステップＳ２０８では「や」が、「９」ボタンが押された場合は、ステップＳ２０４−９、ステップＳ２０５−９と進み、ステップＳ２０８では「ら」が、「０」ボタンが押された場合は、ステップＳ２０４−１０、ステップＳ２０５−１０と進み、ステップＳ２０８では「わ」が表示される。
【００４２】
ステップＳ２０９において、名前、電話番号などの電話帳情報を入力した後、完了キーが押されると、制御部２は、電話帳データ記憶部１３に、入力された電話帳情報を記憶させ、ステップＳ２１０に進む。ステップＳ２１０において、制御部２は、スピーカ１１から登録完了のブザー音を出力させ、ステップＳ２０６に戻り、カメラモードに移行させる。
【００４３】
このように、シャッタボタンである「１」〜「０」のボタン毎に電話帳情報を入力するための選択肢が割り当てられているので、シャッタ操作を行う際に、所望の前記選択肢が割り当てられているシャッタボタンを押せば、自動的に画像データと前記選択肢とが関連付けられて記憶される。したがって、画像データと対応付けて電話帳情報を登録する際に、画像データを取り込んだ後に何も入力されていないところから、それぞれの画像データに対応する電話帳情報を入力するといった面倒なキー操作がなくなり、ユーザは容易に画像データと電話帳情報を関連付けて電話帳に登録することができる。
【００４４】
上述したように、「１」〜「０」の各ボタンに「あ行」、「か行」などの名前の頭文字を割り当てるだけでなく、性別、会社名などを割り当てることもできる。
【００４５】
次に図４を参照して、画像データに対する画像処理機能を有する画像端末機器１について説明する。図４は、この画像端末機器１の動作を示すフローチャートである。
【００４６】
この画像端末機器１は、シャッタボタンである「１」〜「０」のボタンにそれぞれ異なる画像処理が割り当てられている。この各ボタンの割り当ては、設定データ記憶部１８に記憶されている。また、いずれかのシャッタボタンを押すことで、そのシャッタボタンに割り当てられている画像処理を、取り込んだ画像データに施し、その画像データを記憶させることができる。
【００４７】
表２に示すように、「１」ボタンには、第１の画像処理としてセピア色への画像処理が割り当てられている。同様に、「２」ボタンには第２の画像処理として白黒への画像処理が、「３」ボタンには第３の画像処理としてフレーム装飾ｆ１を施す画像処理が、「４」ボタンには第４の画像処理としてフレーム装飾ｆ２を施す画像処理が、「５」ボタンには第５の画像処理としてフレーム装飾ｆ３を施す画像処理が、「６」ボタンには第６の画像処理としてフレーム装飾ｆ４を施す画像処理が、「７」ボタンには第７の画像処理としてフレーム装飾ｆ５を施す画像処理が、「８」ボタンには第８の画像処理としてレーム装飾ｆ６を施す画像処理が、「９」ボタンには第９の画像処理としてフレーム装飾ｆ７を施す画像処理が、「０」ボタンには第１０の画像処理としてフレーム装飾ｆ８を施す画像処理がそれぞれ割り当てられている。ここで、フレーム装飾とは、表示部１２に表示される画像の周縁部に施される飾り付けを意味する。
【００４８】
【表２】
0003866950.tif 000003
【００４９】
ここでは、シャッタボタンとして「１」ボタンが押された場合について説明する。まず、ステップＳ４０１において、キー操作部１７にあるカメラキーが押され、カメラモードが設定されると、制御部２は、画像入力部３の撮像素子から取り込まれた画像データに対し、表示部１２での表示サイズを考慮した画像処理を画像処理部５にさせる。次いで、この画像データを画像一時記憶部４に記憶させ、その画像を表示部１２に表示させて、ステップＳ４０２に進む。この画像は、画像入力部３の向きが変わり被写体が変更されると、それに応じて画像入力部３から取り込まれる画像データが変化するため、動画的に表示される。
【００５０】
ステップＳ４０２において、シャッタボタンである「１」ボタンを押し、シャッタ操作を行う。このシャッタ操作により、特定の被写体が撮影されて画像入力部３から画像データが出力される。この出力された画像データは、制御部２によって画像一時記憶部４に記憶され、ステップＳ４０３に進む。ステップＳ４０３において、制御部２は、シャッタ擬似音発生部１０においてシャッタ擬似音を発生させ、スピーカ１１からシャッタ擬似音を出力させ、ステップＳ４０４に進む。
【００５１】
ステップＳ４０４において、制御部２は、シャッタボタンとして「１」〜「０」のボタンのいずれが押されたかを判断する。ここでは、「１」ボタンが押された場合を説明しているので、「１」ボタンが押されたと判断され、ステップＳ４０４−１に進む。
【００５２】
次に、ステップＳ４０４−１からステップＳ４０５−１に進み、ステップＳ４０５−１において、制御部２は、ステップＳ４０２で画像一時記憶部４に記憶されていた画像データに対して、あらかじめ設定データ記憶部１８で記憶されている画像処理を画像処理部５にさせる。ここでは、「１」ボタンを押してシャッタ操作を行ったので、画像データはセピア色に画像処理される。次いで、制御部２は、この画像データを画像一時記憶部４に記憶させ、撮影確認画面５０（図５参照）のように表示部１２に表示させて、ステップＳ４０６に進む。図５は、画像処理が施された画像を確認するための撮影確認画面５０の表示例である。撮影確認画面５０は、画像処理が施された画像が表示される画像表示欄５１を有する。
【００５３】
ここで、ステップＳ４０２において「２」ボタンが押された場合は、ステップＳ４０４で「２」ボタンが押されたと判断され、ステップＳ４０４−２に進み、ステップＳ４０５−２で第２の画像処理が行われる。同様に、「３」ボタンが押された場合は、ステップＳ４０４−３に進み、ステップＳ４０５−３では第３の画像処理が、「４」ボタンが押された場合は、ステップＳ４０４−４に進み、ステップＳ４０５−４では第４の画像処理が、「５」ボタンが押された場合は、ステップＳ４０４−５に進み、ステップＳ４０５−５では第５の画像処理が、「６」ボタンが押された場合は、ステップＳ４０４−６に進み、ステップＳ４０５−６では第６の画像処理が、「７」ボタンが押された場合は、ステップＳ４０４−７に進み、ステップＳ４０５−７では第７の画像処理が、「８」ボタンが押された場合は、ステップＳ４０４−８に進み、ステップＳ４０５−８では第８の画像処理が、「９」ボタンが押された場合は、ステップＳ４０４−９に進み、ステップＳ４０５−９では第９の画像処理が、「０」ボタンが押された場合は、ステップＳ４０４−１０に進み、ステップＳ４０５−１０では第１０の画像処理が行われる。
【００５４】
ステップＳ４０６において、キー操作部１７の記憶キーが押されると、制御部２は、ステップＳ４０５−１で画像一時記憶部４に記憶されていた画像処理後の画像データを画像記憶部１４に記憶させる。次いで、スピーカ１１からブザー音を出力させ、ステップＳ４０７に進む。ステップＳ４０７においては、カメラモードとなり、画像入力部３の撮像素子から次々と取り込まれる画像データが動画的に表示部１２に表示される。
【００５５】
このように、シャッタボタンである「１」〜「０」のボタン毎に異なる画像処理が割り当てられているので、シャッタ操作を行う際に、所望の画像処理が割り当てられているシャッタボタンを押せば、自動的にその画像処理が施される。したがって、画像データを取り込んだ後に、その画像データに対して画像処理をするための面倒なキー操作がなくなり、ユーザは容易に画像データに画像処理を施すことができる。
【００５６】
次に図６を参照して、画像撮影時におけるシャッタ擬似音切替機能を有する画像端末機器１について説明する。図６は、この画像端末機器１の動作を示すフローチャートである。
【００５７】
この画像端末機器１は、シャッタボタンである「１」〜「０」のボタンにそれぞれ異なるシャッタ擬似音が割り当てられている。この各ボタンの割り当ては、設定データ記憶部１８に記憶されている。また、いずれかのシャッタボタンを押すことで、そのシャッタボタンに割り当てられているシャッタ擬似音が出力された後に、その取り込まれた画像データを記憶させることができる。
【００５８】
表３に示すように、「１」ボタンには、第１のシャッタ擬似音として“カシャ”が割り当てられている。同様に、「２」ボタンには第２のシャッタ擬似音として“チーズ”が、「３」ボタンには第３のシャッタ擬似音として“ピンポン”が、「４」ボタンには第４のシャッタ擬似音として“バン”が、「５」ボタンには第５のシャッタ擬似音として“ピン”が、「６」ボタンには第６のシャッタ擬似音として“ポン”が、「７」ボタンには第７のシャッタ擬似音として“パン”が、「８」ボタンには第８のシャッタ擬似音として“ピカ”が、「９」ボタンには第９のシャッタ擬似音として“パシャ”が、「０」ボタンには第１０のシャッタ擬似音として“撮りました”がそれぞれ割り当てられている。
【００５９】
【表３】
0003866950.tif 000004
【００６０】
ここでは、シャッタボタンとして「１」ボタンが押された場合について説明する。まず、ステップＳ６０１において、キー操作部１７にあるカメラキーが押され、カメラモードが設定されると、制御部２は、画像入力部３の撮像素子から取り込まれた画像データに対し、表示部１２での表示サイズを考慮した画像処理を画像処理部５にさせる。次いで、この画像データを画像一時記憶部４に記憶させ、その画像を表示部１２に表示させて、ステップＳ６０２に進む。この画像は、画像入力部３の向きが変わり被写体が変更されると、それに応じて画像入力部３から取り込まれる画像データが変化するため、動画的に表示される。
【００６１】
ステップＳ６０２において、シャッタボタンである「１」ボタンを押し、シャッタ操作を行う。このシャッタ操作により、特定の被写体が撮影されて画像入力部３から画像データが出力される。この出力された画像データは、制御部２によって画像一時記憶部４に記憶され、ステップＳ６０３に進む。
【００６２】
ステップＳ６０３において、制御部２は、シャッタボタンとして「１」〜「０」のボタンのいずれが押されたかを判断する。ここでは、「１」ボタンが押された場合を説明しているので、「１」ボタンが押されたと判断され、ステップＳ６０３−１に進む。
【００６３】
次に、ステップＳ６０３−１からステップＳ６０４−１に進み、ステップＳ６０４−１において、制御部２は、あらかじめ設定データ記憶部１８で記憶されているシャッタ擬似音をシャッタ擬似音発生部１０に発生させ、そのシャッタ擬似音をスピーカ１１から出力させて、ステップＳ６０５に進む。ここでは、「１」ボタンを押してシャッタ操作を行ったので、“カシャ”というシャッタ擬似音がスピーカ１１から出力される。
【００６４】
ここで、ステップＳ６０２において「２」ボタンが押された場合は、ステップＳ６０３で「２」ボタンが押されたと判断され、ステップＳ６０３−２に進み、ステップＳ６０４−２では第２のシャッタ擬似音が出力される。同様に、「３」ボタンが押された場合は、ステップＳ６０３−３に進み、ステップＳ６０４−３では第３のシャッタ擬似音が、「４」ボタンが押された場合は、ステップＳ６０３−４に進み、ステップＳ６０４−４では第４のシャッタ擬似音が、「５」ボタンが押された場合は、ステップＳ６０３−５に進み、ステップＳ６０４−５では第５のシャッタ擬似音が、「６」ボタンが押された場合は、ステップＳ６０３−６に進み、ステップＳ６０４−６では第６のシャッタ擬似音が、「７」ボタンが押された場合は、ステップＳ６０３−７に進み、ステップＳ６０４−７では第７のシャッタ擬似音が、「８」ボタンが押された場合は、ステップＳ６０３−８に進み、ステップＳ６０４−８では第８のシャッタ擬似音が、「９」ボタンが押された場合は、ステップＳ６０３−９に進み、ステップＳ６０４−９では第９のシャッタ擬似音が、「０」ボタンが押された場合は、ステップＳ６０３−１０に進み、ステップＳ６０４−１０では第１０のシャッタ擬似音が出力される。
【００６５】
ステップＳ６０５において、制御部２は、ステップＳ６０２で画像一時記憶部４に記憶されていた画像データを、画像記憶部１４に記憶させ、表示部１２に表示させ、ステップＳ６０６に進む。ステップＳ６０６においては、カメラモードとなり、画像入力部３の撮像素子から次々と取り込まれる画像データが動画的に表示部１２に表示される。
【００６６】
このように、シャッタボタンである「１」〜「０」のボタン毎に異なるシャッタ擬似音が割り当てられているので、シャッタ操作を行う際に、所望のシャッタ擬似音が割り当てられているシャッタボタンを押せば、自動的にそのシャッタ擬似音が出力される。したがって、被写体を撮影するたびにシャッタ擬似音を切り替えるといった面倒なキー操作がなくなり、ユーザは簡単にシャッタ擬似音を選ぶことができる。
【００６７】
次に図７を参照して、画像撮影時におけるフラッシュ時間切替機能を有する画像端末機器１について説明する。図７は、この画像端末機器１の動作を示すフローチャートである。
【００６８】
この画像端末機器１は、シャッタボタンである「１」〜「０」のボタンにそれぞれ異なるフラッシュ照射時間が割り当てられている。この各ボタンの割り当ては、設定データ記憶部１８に記憶されている。また、いずれかのシャッタボタンを押すことで、そのシャッタボタンに割り当てられている時間だけフラッシュが照射され、フラッシュが照射されている間に画像入力部３の撮像素子より取り込んだ画像データを記憶させることができる。
【００６９】
「１」ボタンには、フラッシュ照射時間として０．１秒が割り当てられている。同様に、「２」ボタンには０．２秒が、「３」ボタンには０．３秒が、「４」ボタンには０．４秒が、「５」ボタンには０．５秒が、「６」ボタンには０．６秒が、「７」ボタンには０．７秒が、「８」ボタンには０．８秒が、「９」ボタンには０．９秒が、「０」ボタンには１秒が割り当てられている。ここでは、シャッタボタンとして「１」ボタンが押された場合について説明する。
【００７０】
まず、ステップＳ７０１において、キー操作部１７にあるカメラキーが押され、カメラモードに設定されると、制御部２は、画像入力部３の撮像素子から取り込まれた画像データに対し、表示部１２での表示サイズを考慮した画像処理を画像処理部３にさせる。次いで、この画像データを画像一時記憶部４に記憶させ、その画像を表示部１２に表示させて、ステップＳ７０２に進む。この画像は、画像入力部３の向きが変わり被写体が変更されることで、それに応じて画像入力部３から取り込まれる画像データが変化するため、動画的に表示される。
【００７１】
ステップＳ７０２において、シャッタボタンである「１」ボタンを押し、シャッタ操作を行う。ステップＳ７０３において、制御部２は、シャッタボタンとして「１」〜「０」のボタンのいずれが押されたかを判断する。ここでは、「１」ボタンが押された場合を説明しているので、「１」ボタンが押されたと判断され、ステップＳ７０３−１に進む。
【００７２】
次に、ステップＳ７０３−１からステップＳ７０４−１に進み、ステップＳ７０４−１において、制御部２は、あらかじめ設定データ記憶部１８で記憶されているシャッタ照射時間である０．１秒を、タイマ部１６にセットし、フラッシュ部９を点灯し、ステップＳ７０５に進む。
【００７３】
ここで、ステップＳ７０２において「２」ボタンが押された場合は、ステップＳ７０３で「２」ボタンが押されたと判断され、ステップＳ７０３−２に進み、ステップＳ７０４−２で０．２秒がタイマ部１６にセットされる。同様に、「３」ボタンが押された場合は、ステップＳ７０３−３に進み、ステップＳ７０４−３で０．３秒が、「４」ボタンが押された場合は、ステップＳ７０３−４に進み、ステップＳ７０４−４で０．４秒が、「５」ボタンが押された場合は、ステップＳ７０３−５に進み、ステップＳ７０４−５で０．５秒が、「６」ボタンが押された場合は、ステップＳ７０３−６に進み、ステップＳ７０４−６で０．６秒が、「７」ボタンが押された場合は、ステップＳ７０３−７に進み、ステップＳ７０４−７で０．７秒が、「８」ボタンが押された場合は、ステップＳ７０３−８に進み、ステップＳ７０４−８で０．８秒が、「９」ボタンが押された場合は、ステップＳ７０３−９に進み、ステップＳ７０４−９で０．９秒が、「０」ボタンが押された場合は、ステップＳ７０３−１０に進み、ステップＳ７０４−１０で１秒がタイマ部１６にセットされる。
【００７４】
ステップＳ７０５において、制御部２は、ステップＳ７０４−１でタイマ部１６にセットしたタイマがタイムアップしたかどうかを判断する。タイムアップしない場合は、ステップＳ７０５に戻る。タイムアップした場合には、ステップＳ７０６へ進む。
【００７５】
ステップＳ７０６において、制御部２は、シャッタ制御部６を制御し、特定の被写体を撮影して、画像入力部３からその画像データを出力させて画像一時記憶部４に記憶させ、表示部１２に表示させる。次いで、画像一時記憶部４に記憶されている画像データを画像記憶部１４に記憶させて、ステップＳ７０７に進む。
【００７６】
ステップＳ７０７において、制御部２は、フラッシュ部９のフラッシュを消灯するとともに、シャッタ擬似音発生部１０でシャッタ擬似音を発生させ、スピーカ１１から出力させてステップＳ７０８に進む。ステップＳ７０８においては、カメラモードとなり、画像入力部３の撮像素子から次々と取り込まれた画像データが動画的に表示部１２に表示される。
【００７７】
このように、シャッタボタンである「１」〜「０」のボタン毎に異なるフラッシュ照射時間が割り当てられているので、シャッタ操作を行う際に、所望のフラッシュ照射時間が割り当てられているシャッタボタンを押せば、自動的にそのフラッシュ照射時間だけフラッシュが照射される。したがって、被写体を撮影するたびにフラッシュ照射時間を切り替えるといった面倒なキー操作がなくなり、ユーザは簡単にフラッシュ照射時間を選ぶことができる。
【００７８】
次に図８を参照して、画像データを記憶させる際に画像記憶エリアを指定する機能を有する画像端末機器１について説明する。図８は、この画像端末機器１の動作を示すフローチャートである。
【００７９】
この画像端末機器１は、シャッタボタンである「１」〜「０」のボタンにそれぞれ画像データを記憶させるエリアが割り当てられている。この各ボタンの割り当ては、設定データ記憶部１８に記憶されている。また、いずれかのシャッタボタンを押すことで、そのシャッタボタンに割り当てられているエリアに取り込んだ画像データを記憶させることができる。
【００８０】
「１」ボタンには、画像記憶部１４の記憶エリアであるエリアａ１が割り当てられている。同様に、「２」ボタンにはエリアａ２が、「３」ボタンにはエリアａ３が、「４」ボタンにはエリアａ４が、「５」ボタンにはエリアａ５が、「６」ボタンにはエリアａ６が、「７」ボタンにはエリアａ７が、「８」ボタンにはエリアａ８が、「９」ボタンにはエリアａ９が、「０」ボタンにはエリアａ１０が割り当てられている。ここでは、シャッタボタンとして「１」ボタンが押された場合について説明する。
【００８１】
まず、ステップＳ８０１において、キー操作部１７にあるカメラキーが押され、カメラモードが設定されると、制御部２は、画像入力部３の撮像素子から取り込まれた画像データに対し、表示部１２での表示サイズを考慮した画像処理を画像処理部５にさせる。次いで、この画像データを画像一時記憶部４に記憶させ、その画像を表示部１２に表示させて、ステップＳ８０２に進む。この画像は、画像入力部３の向きが変わり被写体が変更されると、それに応じて画像入力部３から取り込まれる画像が変化するため、動画的に表示される。
【００８２】
ステップＳ８０２において、シャッタボタンである「１」ボタンを押し、シャッタ操作を行う。このシャッタ操作により、特定の被写体が撮影されて画像入力部３から画像データが出力される。この出力された画像データは、制御部２によって画像一時記憶部４に記憶され、ステップＳ８０３に進む。
【００８３】
ステップＳ８０３において、制御部２は、シャッタボタンとして「１」〜「０」のボタンのいずれが押されたかを判断する。ここでは、「１」ボタンが押された場合を説明しているので、「１」ボタンが押されたと判断され、ステップＳ８０３−１に進む。
【００８４】
次に、ステップＳ８０３−１からステップＳ８０４−１に進み、ステップＳ８０４−１において、制御部２は、シャッタ擬似音発生部１０でシャッタ擬似音を発生させ、そのシャッタ擬似音をスピーカ１１から出力させて、ステップＳ８０５−１に進む。ステップＳ８０５−１において、制御部２は、ステップＳ８０２で画像一時記憶部４に記憶されている画像データを、画像記憶部１４のエリアａ１に記憶させ、ステップＳ８０６に進む。
【００８５】
ここで、ステップＳ８０２において「２」ボタンが押された場合は、ステップＳ８０３で「２」ボタンが押されたと判断され、ステップＳ８０３−２、ステップＳ８０４−２と進み、ステップＳ８０５−２で取り込まれた画像データは画像記憶部１４のエリアａ２に記憶される。同様に、画像データは、「３」ボタンが押された場合は、ステップＳ８０３−３、ステップＳ８０４−３と進み、ステップＳ８０５−３でエリアａ３に、「４」ボタンが押された場合は、ステップＳ８０３−４、ステップＳ８０４−４と進み、ステップＳ８０５−４でエリアａ４に、「５」ボタンが押された場合は、ステップＳ８０３−５、ステップＳ８０４−５と進み、ステップＳ８０５−５でエリアａ５に、「６」ボタンが押された場合は、ステップＳ８０３−６、ステップＳ８０４−６と進み、ステップＳ８０５−６でエリアａ６に、「７」ボタンが押された場合は、ステップＳ８０３−７、ステップＳ８０４−７と進み、ステップＳ８０５−７でエリアａ７に、「８」ボタンが押された場合は、ステップＳ８０３−８、ステップＳ８０４−８と進み、ステップＳ８０５−８でエリアａ８に、「９」ボタンが押された場合は、ステップＳ８０３−９、ステップＳ８０４−９と進み、ステップＳ８０５−９でエリアａ９に、「０」ボタンが押された場合は、ステップＳ８０３−１０、ステップＳ８０４−１０と進み、ステップＳ８０５−１０でエリアａ１０に記憶される。
【００８６】
ステップＳ８０６においては、カメラモードとなり、画像入力部３の撮像素子から次々と取り込まれる画像データが動画的に表示部１２に表示される。
【００８７】
このように、シャッタボタンである「１」〜「０」のボタン毎に画像データを格納するエリアが割り当てられているので、シャッタ操作を行う際に、所望のエリアが割り当てられているシャッタボタンを押せば、自動的に選択したエリアに画像データが記憶される。したがって、画像データを取り込んだ後にどこにその画像データを記憶させるかを選択するといった面倒なキー操作がなくなり、ユーザは容易に希望のエリアに取り込んだ画像データを記憶させることができる。
【００８８】
次に図９を参照して、取り込んだ画像データを指定された電子メールアドレスに自動で送信する機能を有する画像端末機器１について説明する。図９は、この画像端末機器１の動作を示すフローチャートである。
【００８９】
この画像端末機器１は、シャッタボタンである「１」〜「０」のボタンにそれぞれ電子メールアドレスが割り当てられている。この「１」〜「０」のボタンに割り当てられている各電子メールアドレスは、あらかじめユーザにより登録され、設定データ記憶部１８に記憶されている。また、いずれかのシャッタボタンを押すことで、画像データが記憶され、その記憶された画像データを、そのシャッタボタンに割り当てられている電子メールアドレスに送信することができる。
【００９０】
「１」ボタンには、電子メールアドレスｅ１が割り当てられている。同様に、「２」ボタンには電子メールアドレスｅ２が、「３」ボタンには電子メールアドレスｅ３が、「４」ボタンには電子メールアドレスｅ４が、「５」ボタンには電子メールアドレスｅ５が、「６」ボタンには電子メールアドレスｅ６が、「７」ボタンには電子メールアドレスｅ７が、「８」ボタンには電子メールアドレスｅ８が、「９」ボタンには電子メールアドレスｅ９が、「０」ボタンには電子メールアドレスｅ１０が割り当てられている。ここでは、シャッタボタンとして「１」ボタンが押された場合について説明する。
【００９１】
まず、ステップＳ９０１において、キー操作部１７にあるカメラキーが押され、カメラモードが設定されると、制御部２は、画像入力部３の撮像素子から取り込まれた画像データに対し、表示部１２での表示サイズを考慮した画像処理を画像処理部５にさせる。次いで、この画像データを画像一時記憶部４に記憶させ、その画像を表示部１２に表示させて、ステップＳ９０２に進む。この画像は、画像入力部３の向きが変わり被写体が変更されると、それに応じて画像入力部３から取り込まれる画像データが変化するため、動画的に表示される。
【００９２】
ステップＳ９０２において、シャッタボタンである「１」ボタンを押し、シャッタ操作を行う。このシャッタ操作により、特定の被写体が撮影されて画像入力部３から画像データが出力される。この出力された画像データは、制御部２によって画像一時記憶部４に記憶され、ステップＳ９０３に進む。
【００９３】
ステップＳ９０３において、制御部２は、シャッタボタンとして「１」〜「０」のボタンのいずれが押されたかを判断する。ここでは、「１」ボタンが押された場合を説明しているので、「１」ボタンが押されたと判断され、ステップＳ９０３−１に進む。
【００９４】
次に、ステップＳ９０３−１からステップＳ９０４−１に進み、ステップＳ９０４−１において、制御部２は、シャッタ擬似音発生部１０でシャッタ擬似音を発生させ、そのシャッタ擬似音をスピーカ１１から出力させて、ステップＳ９０５−１に進む。ステップＳ９０５−１において、制御部２は、ステップＳ９０２において画像一時記憶部４に記憶されている画像データを画像記憶部１４に記憶させ、ステップＳ９０６−１に進む。
【００９５】
ステップＳ９０６−１において、制御部２は、あらかじめ設定データ記憶部１８に記憶されており、「１」ボタンに対応する電子メールアドレスｅ１を読み出す。次いで、制御部２は、無線制御部７に、ステップＳ９０５−１で画像記憶部１４に記憶された画像データが添付された電子メールを送信させ、ステップＳ９０７に進む。電子メールの送信は、通信事業者のネットワーク、インターネットプロバイダなどに、アンテナを介して行われる。画像端末機器１から送信された電子メールは、通信業者のネットワーク、インターネットプロバイダなどから送信先である電子メールアドレスに送信される。
【００９６】
ここで、ステップＳ９０２において「２」ボタンが押された場合、ステップＳ９０３において、「２」ボタンが押されたと判断され、ステップＳ９０３−２、Ｓ９０４−２、Ｓ９０５−２と進み、ステップＳ９０６−２で電子メールアドレスｅ２に画像データが送信される。同様に、「３」ボタンが押された場合は、ステップＳ９０３−３、Ｓ９０４−３、Ｓ９０５−３と進み、ステップＳ９０６−３では電子メールアドレスｅ３に、「４」ボタンが押された場合は、ステップＳ９０３−４、Ｓ９０４−４、Ｓ９０５−４と進み、ステップＳ９０６−４では電子メールアドレスｅ４に、「５」ボタンが押された場合は、ステップＳ９０３−５、Ｓ９０４−５、Ｓ９０５−５と進み、ステップＳ９０６−５では電子メールアドレスｅ５に、「６」ボタンが押された場合は、ステップＳ９０３−６、Ｓ９０４−６、Ｓ９０５−６と進み、ステップＳ９０６−６では電子メールアドレスｅ６に、「７」ボタンが押された場合は、ステップＳ９０３−７、Ｓ９０４−７、Ｓ９０５−７と進み、ステップＳ９０６−７では電子メールアドレスｅ７に、「８」ボタンが押された場合は、ステップＳ９０３−８、Ｓ９０４−８、Ｓ９０５−８と進み、ステップＳ９０６−８では電子メールアドレスｅ８に、「９」ボタンが押された場合は、ステップＳ９０３−９、Ｓ９０４−９、Ｓ９０５−９と進み、ステップＳ９０６−９では電子メールアドレスｅ９に、「０」ボタンが押された場合は、ステップＳ９０３−１０、Ｓ９０４−１０、Ｓ９０５−１０と進み、ステップＳ９０６−１０では電子メールアドレスｅ１０に画像データが送信される。
【００９７】
ステップＳ９０７においては、カメラモードとなり、画像入力部３の撮像素子から次々と取り込まれる画像データが動画的に表示部１２に表示される。
【００９８】
このように、シャッタボタンである「１」〜「０」のボタン毎に異なる電子メールアドレスが割り当てられているので、シャッタ操作を行う際に、所望の電子メールアドレスが割り当てられているシャッタボタンを押せば、自動的にその電子メールアドレスに画像データが送信される。したがって、画像データを取り込んだ後にわざわざ電子メールアドレスを入力して電子メールを送信するといった面倒なキー操作がなくなり、ユーザは容易に希望の相手に画像データを電子メールで送信できる。
【００９９】
上述した画像端末機器１としては、画像撮影機能を備えている機器であればいずれにも適用できるが、携帯電話機、デジタルカメラ、電子手帳、モバイルコンピュータなどのようにキーが多くある端末機器において本発明は特に有効である。たとえば、カメラ付き携帯電話機の場合、ダイヤル発信に用いるダイヤルキーがキー操作部となり、このダイヤルキーをシャッタボタンとする。小さなキーしか有さない携帯電話機において、画像データに関連する処理を行うために通常のキー操作を行えば、携帯電話機の小型化によるメリット以上に、キー操作の手間および煩雑さによるデメリットが顕著になる。しかしながら、本発明を携帯電話機に適用すれば、前記デメリットが大幅に減少し、操作性が高まり、時間を有効に活用できる。
【０１００】
また、テンキーである「１」〜「０」のボタンとその各ボタンに対応させる画像データに関連する処理との組み合わせが複数種類あり、どの組み合わせを有効とするかについてユーザが自由に選択できるようにしてもよい。
【０１０１】
【発明の効果】
以上のように本発明によれば、テンキーおよび操作キーを含む複数のキー毎に、上述したような各種画像データに関連する処理機能が割り当てられているので、わざわざ前記処理を行うために面倒なキー操作をしなくて済む。また、どのキーを押してもシャッタボタンとして機能するので、どのキーを操作しても、撮影手段によって撮影することができる。したがって、ユーザのキー操作の手間を大幅に削減することができ、操作性が高く、時間を有効に活用できる画像端末機器を提供できる。
【図面の簡単な説明】
【図１】本発明の実施の一形態である画像端末機器１の構成を示すブロック図である。
【図２】電話帳リンク機能を有する画像端末機器１の動作を示すフローチャートである。
【図３】電話帳入力画面３０の表示例である。
【図４】画像取り込み時における画像処理機能を有する画像端末機器１の動作を示すフローチャートである。
【図５】撮影確認画面５０の表示例である。
【図６】画像取り込み時におけるシャッタ擬似音切替機能を有する画像端末機器１の動作を示すフローチャートである。
【図７】画像取り込み時におけるフラッシュ時間切替機能を有する画像端末機器１の動作を示すフローチャートである。
【図８】画像を記憶させる際に画像記憶エリアを指定する機能を有する画像端末機器１の動作を示すフローチャートである。
【図９】取り込んだ画像を指定された電子メールアドレスに自動で送信する機能を有する画像端末機器１の動作を示すフローチャートである。
【符号の説明】
１  画像端末機器
２  制御部
３  画像入力部
４  画像一時記憶部
５  画像処理部
６  シャッタ制御部
７  無線制御部
８  アンテナ
９  フラッシュ部
１０  シャッタ擬似音発生部
１１  スピーカ
１２  表示部
１３  電話帳データ記憶部
１４  画像記憶部
１５  電源部
１６  タイマ部
１７  キー操作部
１８  設定データ記憶部
３０  電話帳入力画面
３１  名前欄
３２  名前入力欄
３３  電話番号欄
３４  電話番号入力欄
３５，５１  画像表示欄
５０  撮影確認画面
【図１】
0003866950.tif 000005
【図２】
0003866950.tif 000006
【図３】
0003866950.tif 000007
【図４】
0003866950.tif 000008
【図５】
0003866950.tif 000009
【図６】
0003866950.tif 000010
【図７】
0003866950.tif 000011
【図８】
0003866950.tif 000012
【図９】
0003866950.tif 000013